(57)【要約】本出願は、端末技術の分野に関し、特に、バッテリ及びモバイル端末を開示する。本出願は、バッテリを提供する。バッテリは、後部筐体内にしっかりと接合される。バッテリは、バッテリ本体とパッケージケースとを備える。バッテリ本体は、パッケージケース内に収容される。パッケージケースは、第１の表面と、第１の表面とは反対側の第２の表面とを含む。第１の表面及び後部筐体は取り付け固定される。第２の表面はティア構造を有する。パッケージケースは、バッテリ本体を取り出すためにティア構造を破ることにより破り開けられうる。これにより、後部筐体からバッテリが取り出される際、バッテリを取り出すためにティア構造が破られうる、ゆえにバッテリ上のアルミニウムプラスチックフィルムの変形又はしわ又は膨らみが防止されうる。
2019522885.tif 000002
【特許請求の範囲】
【請求項１】
バッテリであって、前記バッテリは、モバイル端末の後部筐体の内部にしっかりと接合され、前記バッテリは、バッテリ本体とパッケージケースとを備え、
前記バッテリ本体は、前記パッケージケースの内部に収容され、
前記パッケージケースは、第１の表面と、前記第１の表面とは反対側の第２の表面とを備え、前記第１の表面及び前記後部筐体は取り付けられ且つ固定され、前記第２の表面はティア構造を有し、前記パッケージケースは、前記バッテリの本体を取り出すために前記ティア構造を破ることにより破り開けられうる、
バッテリ。
【請求項２】
前記パッケージケースは、前記バッテリの本体を覆う包装フィルムである、
請求項１に記載のバッテリ。
【請求項３】
前記ティア構造は第１の破り線であり、前記第２の表面は前記第１の破り線に沿って破り開けられうる、
請求項２に記載のバッテリ。
【請求項４】
前記第１の破り線は、前記第２の表面の中央領域に位置する、
請求項３に記載のバッテリ。
【請求項５】
前記第１の破り線は、第１の副破り線と第２の副破り線とを含み、前記第１の副破り線は、第１の破り開口部を形成し、前記第１の副破り線は、前記第１の破り開口部から外側に延出して前記第２の副破り線を形成する、
請求項３に記載のバッテリ。
【請求項６】
複数の第２の副破り線があり、前記複数の第２の副破り線は前記第１の破り開口部の周囲に均等に配置される、
請求項５に記載のバッテリ。
【請求項７】
前記第１の副破り線により取り囲まれた領域は矩形であり、４本の第２の副破り線があり、前記４本の第２の副破り線は、前記第１の副破り線の四隅から外側にそれぞれ延出し、各第２の副破り線と、各隅部を形成する前記第１の副破り線の２つの辺との間の角度はいずれも９０°より大きい、
請求項５に記載のバッテリ。
【請求項８】
第２の破り線が前記包装フィルム上にさらに配置され、前記第２の破り線は、第２の破り開口部を形成し、前記第２の破り開口部は、前記バッテリの本体の正負の電極に沿って整列される、
請求項２に記載のバッテリ。
【請求項９】
前記バッテリの本体の前記正負の電極に対応する前記パッケージケースの位置に開口部が設けられる、
請求項１から８のいずれか一項に記載のバッテリ。
【請求項１０】
前記パッケージケースの壁厚が０．０８ｍｍ未満である、
請求項１に記載のバッテリ。
【請求項１１】
前記バッテリの本体は、プラスチック包装装置を用いて前記包装フィルムで包装される、
請求項２に記載のバッテリ。
【請求項１２】
前記プラスチック包装装置を用いて前記バッテリの本体を包装するために使用される動作温度は、８０℃未満である、
請求項１１に記載のバッテリ。
【請求項１３】
前記包装フィルムの材料はポリエチレンである、
請求項２〜８、１０〜１２のいずれか一項に記載のバッテリ。
【請求項１４】
後部筐体と、請求項１〜１３のいずれか一項に記載の前記バッテリとを備えたモバイル端末であって、
前記後部筐体は、底面パネルと、前記底面パネルの外周部に配置された側面パネルとを備え、収容溝が前記底面パネルと前記側面パネルとにより取り囲まれ、前記バッテリは前記収容溝の内部にしっかりと接合される、
モバイル端末。
【発明の詳細な説明】
【技術分野】
【０００１】
［関連出願の参照］
本出願は、２０１７年１月５日に中国特許庁に出願され、かつ「ＢＡＴＴＥＲＹ  ＣＯＭＰＯＮＥＮＴ  ＡＮＤ  ＭＯＢＩＬＥ  ＴＥＲＭＩＮＡＬ」と題する中国特許出願第２０１７１０００７４４４．１号の優先権を主張し、その全体が参照により本明細書に組み込まれるものとする。
【０００２】
本出願は、端末技術の分野に関し、特に、バッテリ及びモバイル端末に関する。
【背景技術】
【０００３】
携帯電話又はパッドなどのモバイル端末のバッテリは、比較的高価である。しかし、現状では、基本的にはすべてのモバイル端末のバッテリにはビルトインデザインが用いられている。すなわち、プラスチックケースに収容されていないバッテリは、モバイル端末の後部筐体内に直接接着剤を用いてしっかりと接合されている。このようにすると、バッテリを後部筐体から取り出す際、接着剤は接合力が比較的高いために、アルミニウムプラスチックフィルムの異なる程度の変形又はしわ又は膨らみが、後部筐体に接合されたバッテリ表面に容易に現れ、その結果バッテリは廃棄され、再利用されることができなくなる。
【発明の概要】
【０００４】
本発明の実施形態は、モバイル端末に内蔵されたバッテリを後部筐体から取り出す際に、アルミニウムプラスチックフィルムの変形又はしわ又は膨らみを防止し、それにより内蔵バッテリを分解又は廃棄するコストを削減し、また、モバイル端末内のバッテリを再利用可能にするようなバッテリ及びそのバッテリを備えたモバイル端末を提供する。
【０００５】
上記の目的を達成するために、以下の技術的解決策が本出願の実施形態では使用される。
【０００６】
第１の態様によれば、本出願は、バッテリを提供する。バッテリは、モバイル端末の後部筐体内にしっかりと接合される。バッテリは、バッテリ本体とパッケージケースとを備える。バッテリ本体は、パッケージケース内に収容される。パッケージケースは、第１の表面と、第１の表面とは反対側の第２の表面とを含む。第１の表面及び後部筐体は取り付けられ、かつ固定される。第２の表面はティア構造を有する。パッケージケースは、バッテリ本体を取り出すために、ティア構造を破ることによって破り開けられうる。
【０００７】
本出願の本実施形態で提供されるバッテリをパッケージケース内に収容した後、パッケージケースが後部筐体内にしっかりと接合されうる。後部筐体からバッテリを取り出す必要がある場合には、パッケージケース内に収容されたバッテリ本体は、バッテリを取り出す際にアルミニウムプラスチックフィルムの変形又はしわ又は膨らみを防止するために、ティア構造を破ることによりパッケージケースを破り開けるだけで取り出し可能になり、バッテリを分解及び廃棄するコストを削減し、またバッテリを再利用可能にする。パッケージケースは、剛性筐体であってもよく、可撓性薄膜ケースであってもよい。
【０００８】
任意選択的に、パッケージケースは、バッテリ本体を覆う包装フィルムである。包装フィルムは、軽量で薄いなどの利点を有しているので、バッテリの厚さ及び重量に対するパッケージケースの影響が低減されることができる。
【０００９】
任意選択的に、ティア構造は第１の破り線であり、パッケージケースの第２の表面は第１の破り線に沿って破り開けられうる。このようにして、バッテリ本体は、第１の破り線に沿ってパッケージケースの第２の表面全体を手で破るだけで取り出し可能である。
【００１０】
任意選択的に、第１の破り線は、パッケージケースの第２の表面の中央領域に位置する。このようにして、第１の破り線は、パッケージケースの第２の表面の外周部からほぼ等しい距離を有し、周方向に第１の破り線に沿ってパッケージケースの第２の表面全体を破り開けるのに便利になる。
【００１１】
任意選択的に、第１の破り線は、第１の副破り線と第２の副破り線とを含み、第１の副破り線は第１の破り開口部を形成し、第１の副破り線は第１の破り開口部から外側に延出して第２の副破り線を形成する。これにより、バッテリをモバイル端末の後部筐体から取り出す際に、まず、第１の破り線を第１の破り線に沿って破り開けることができ、包装フィルムの縁部が第１の破り開口部で露出される。次いで、第１の破り開口部における包装フィルムの縁部を削り取り、包装フィルムの縁部を引っ張って第１の破り開口部から外側に移動させ、パッケージケースの第２の表面を破り開ける。この処理は簡単であり、手で破る操作を容易にする。
【００１２】
任意選択的に、複数の第２の副破り線があり、複数の第２の副破り線は、第１の破り開口部の周囲に均等に配置される。このようにして、パッケージケースの第２の表面全体が、第１の破り開口部の周囲から複数の第２の破り線に沿って破り開けられることができ、パッケージケースを破り開けることの困難性を低減する。
【００１３】
任意選択的に、第１の副破り線に取り囲まれた領域は矩形であり、第２の副破り線は４本あり、４本の第２の副破り線は、第１の副破り線の四隅から外側にそれぞれ延出し、各第２の副破り線と各隅部を形成する前記第１の副破り線の２つの辺との間の角度は共に９０°より大きい。このように、第１の破り開口部が第１の破り線に沿って破り開けられた後、包装フィルムの縁部を第１の破り開口部で引っ張って第１の破り開口部から外側に移動させる過程で引張力が第１の副破り線の四隅に集中し、第２の副破り線に沿ってパッケージケースの第２の表面全体を破り開けることが容易になり、それによりパッケージケースを破り開けることの困難性を低減する。
【００１４】
任意選択的に、第２の破り線が包装フィルム上にさらに配置され、第２の破り線が第２の破り開口部を形成し、第２の破り開口部は、バッテリ本体の正負の電極と位置合わせされる。したがって、バッテリ本体の正負の電極をモバイル端末内部の制御基板に接続する前に、第２の破り開口部を第２の破り線に沿って破り開けられてバッテリ本体の正負の電極を露出させることができ、バッテリ本体とモバイル端末の制御基板との間の接続を容易にする。
【００１５】
任意選択的に、パッケージケースのバッテリ本体の正負の電極に対応する位置に開口部が設けられる。この開口部は、バッテリ本体とモバイル端末の制御基板との間の接続を容易にするために、バッテリ本体の正負の電極を露出させるために使用されてもよい。
【００１６】
任意選択的に、パッケージケースの壁厚は、０．０８ミリメートル未満である。これにより、パッケージケースの壁厚が比較的大きくなってバッテリの厚さが相対的に大きくなることを防止することができ、バッテリの薄型設計が容易となり、モバイル端末の薄型設計がさらに容易になる。
【００１７】
任意選択的に、バッテリ本体は、プラスチック包装装置を用いて包装フィルムで包装される。プラスチック包装装置は、自動化された動作を実現するために電磁筐体を包装フィルムで包装するために使用され、それによってプラスチック包装ケースの形成時間を短縮し、形成効率を向上させる。
【００１８】
任意選択的に、プラスチック包装装置を用いてバッテリ本体を包装するために使用される動作温度は、バッテリ本体を包装フィルムで包装するのに使用される温度がバッテリ本体の耐性限界を超えてバッテリの本体が損傷することを防止するために８０℃未満である。
【００１９】
任意選択的に、包装フィルムの材料はポリエチレンである。ポリエチレンは、プラスチック包装中のより良好な収縮性能を有し、包装フィルムをバッテリ本体の表面にしっかりと装着するのに便利になる。
【００２０】
第２の態様によれば、本出願は、上述の任意の解決策の後部筐体及びバッテリを含むモバイル端末を提供する。後部筐体は、底面パネルと、底面パネルの外周部に配置された側面パネルとを含む。収容溝は、底面パネル及び側面パネルによって取り囲まれている。バッテリは、収容溝内にしっかりと接合される。
【００２１】
本出願の本実施形態で提供されるモバイル端末では、バッテリ本体をパッケージケース内に収容した後、パッケージケースを後部筐体によって形成された収容溝内にしっかりと接合されうる。また、収容溝からバッテリを取り出す必要がある場合は、パッケージケース内に収容されたバッテリ本体は、バッテリが取り出される際にアルミニウムプラスチックフィルムの変形又はしわ又は膨らみを防止するために、ティア構造を引裂くことにより単にパッケージケースを破り開けることで取り出し可能であり、バッテリを分解及び廃棄するコストを削減し、またバッテリを再利用可能にする。パッケージケースは、剛性筐体であってもよく、可撓性薄膜ケースであってもよい。
【図面の簡単な説明】
【００２２】
以下、実施形態又は従来技術を説明するために必要な添付図面を簡単に説明する。
【図１】図１は、 本出願の実施形態によるモバイル端末の概略構成図である。
【図２】図２は、図１に示すモバイル端末の概略構成断面図である。
【図３】図３は、 本出願の実施形態によるモバイル端末内の後部筐体の概略構成図である。
【図４】図４は、 本出願の実施形態によるモバイル端末内のバッテリの第１の概略構成図である。
【図５】図５は、本出願の実施形態によるモバイル端末内のバッテリの第２の概略構成図である。
【図６】図６は、本出願の実施形態によるモバイル端末内のバッテリの第３の概略構成図である。
【発明を実施するための形態】
【００２３】
以下、本出願の実施形態における技術的解決策について、本出願の実施形態における添付図面を参照して説明する。
【００２４】
本出願の説明において、「中心」、「上」、「下」、「前」、「後」、「左」、「右」、「縦」、「水平」、「表」、「底」、「内側」、「外側」などの用語によって示される方向又は位置関係は、添付図面に示される方向又は位置関係に基づくものであり、単にこの出願を説明しかつ説明を簡単にするものであり、装置又は構成要素が特定の方向を有する、又は特定の方向に形成及び操作されることを示す或いは示唆することを意味するものではなく、したがって本出願に対する制限として理解されるべきではない。
【００２５】
本出願の説明において、別段明記及び明示的に限定されない限り、「搭載する」、「接続される」及び「接続」という用語は、一般的な方法で理解されるべきであり、例えば、固定接続、着脱可能な接続、又は一体化接続であり、当業者は、具体的な状況に応じて本出願の用語の特定の意味を理解しうることに留意されたい。
【００２６】
図１及び図２を参照すると、図１及び図２は、本出願の実施形態によるモバイル端末の具体的な実施形態を示す。本実施形態のモバイル端末は、後部筐体２００とバッテリ１００とを備えている。バッテリ１００は、後部筐体内にしっかりと接合される。後部筐体２００の構造が図３に示されている。図３を参照すると、後部筐体２００は、底面パネル２０１と、底面パネル２０１の外周部に配置された側面パネル２０２とを備えている。また、収容溝２０３が底面パネル２０１及び側面パネル２０２により取り囲まれている。さらに、バッテリ１００の構造が図４に示されている。図４を参照すると、バッテリ１００は、後部筐体の収容溝２０３内にしっかりと接合される。バッテリ１００は、バッテリ本体１０１とパッケージケース１０２とを備える。バッテリ本体１０１は、パッケージケース１０２内に収容される。パッケージケース１０２は、第１の表面１０２１と、第１の表面１０２１とは反対側の第２の表面１０２２とを含む。第１の表面１０２１及び底面パネル２０１は取り付け固定される。第２の表面１０２２はティア構造１０３を有する。パッケージケース１０２は、バッテリ本体１０１を取り出すためにティア構造１０３を破ることにより破り開けられうる。
【００２７】
本出願の本実施形態によるモバイル端末では、バッテリ本体１０１をパッケージケース１０２内に収容した後、パッケージケース１０２を後部筐体２００が形成する収容溝２０３内にしっかりと接合しうる。バッテリ１００を取り出す必要がある場合には、バッテリ本体１０１を取り出す過程においてアルミニウムプラスチックフィルムの変形又はしわ又は膨らみを防止するために、パッケージケース１０２内に収容されたバッテリ本体１０１は、ティア構造１０３を破ってパッケージケース１０２を単に破り開けるだけで取り出し可能であり、バッテリ１００を分解及び廃棄するコストを削減し、またバッテリ１００を再利用可能にする。
【００２８】
上記実施形態では、バッテリ本体１０１はパッケージケース１０２内に収容されているだけであり、バッテリ本体１０１とパッケージケース１０２との間には接続関係が存在しないことに留意されたい。このように、パッケージケースを破り開けてバッテリを取り出す場合、バッテリの元の状態は維持可能であり、アルミニウムプラスチックフィルムの変形又はしわ又は膨らみは生じない。
【００２９】
バッテリ１００は、収容溝２０３内に接着剤を用いて接合されてもよいし、伸縮性剥離テープを用いて収容溝２０３内に接合されてもよい。これは特に限定されない。
【００３０】
また、パッケージケース１０２は、第１の表面１０２１のみを用いて後部筐体２００の底面パネル２０１に接合されてもよいし、第１の表面１０２１に隣接する面のみを用いて側面パネル２０２に接合されてもよいし、また第１の表面１０２１を用いて後部筐体２００の底面パネル２０１に接合され、同時に第１の表面１０２１の表面を用いて側面パネル２０２に接合されてもよい。これは特に限定されない。
【００３１】
さらに、パッケージケース１０２は、剛性筐体であってもよく、可撓性の薄膜ケースであってもよい。これは特に限定されない。
【００３２】
任意選択的に、パッケージケース１０２は、バッテリ本体１０１を覆う包装フィルムである。プラスチック包装フィルムは、軽量かつ薄いため、バッテリの厚み及び重量に対するパッケージケース１０２の影響が低減されることができる。さらに、包装用フィルムの軽量さ及び薄さにより、包装用フィルムは、ティア構造１０３を破ることによって破り開けるのに便利である。
【００３３】
上記実施形態において、包装フィルムは、プラスチックフィルム又はゴムフィルムなどであってもよい。これは特に限定されない。包装フィルムは、手動操作によりバッテリ本体１０１を覆ってもよいし、機械装置を用いてバッテリ本体１０１を覆ってもよい。これは特に限定されない。
【００３４】
任意選択的に、図４を参照すると、ティア構造１０３は第１の破り線であり、パッケージケース１０２の第２の表面１０２２は、第１の破り線に沿って破り開けられることができる。このようにして、バッテリ本体１０１は、第１の破り線に沿ってパッケージケース１０２の第２の表面１０２２を手動で破り開けるだけで取り出すことができる。
【００３５】
上記実施形態では、第１の破り線は、直線に沿って延出してもよいし、曲線に沿って延出してもよい。これは特に限定されない。さらに、第１の破り線は、１本の破り線を含んでもよく、又は複数の破り線を含んでもよい。これは特に限定されない。第１の破り線が複数の破り線を含む場合、複数の破り線は、互いに平行に配置されてもよいし、互いに交差して配置されてもよい。これは特に限定されない。
【００３６】
第１の破り線は、パッケージケース１０２の第２の表面１０２２の中央領域に位置してもよいし、パッケージケース１０２の第２の表面１０２２の縁部位置に位置してもよい。これは特に限定されない。
【００３７】
任意選択的に、図４を参照すると、第１の破り線は、パッケージケース１０２の第２の表面１０２２の中央領域に位置する。これにより、第１の破り線は、パッケージケース１０２の第２の表面１０２２の外周部からほぼ等距離を有し、パッケージケース１０２の第２の表面１０２２を第１の破り線に沿って周方向に破り開けるのに便利になる。
【００３８】
任意選択的に、図４を参照すると、第１の破り線は、第１の副破り線１０３１と、第２の副破り線１０３２とを含む。第１の副破り線１０３１は、第１の破り開口部１０４を形成する。第１の副破り線１０３１は、第１の破り開口部１０４から外側に延出して第１の破り開口部１０４を形成する。このように、バッテリがモバイル端末の後部筐体から取り出されるとき、第１の破り開口部１０４は最初に、包装フィルムの端部が第１の破り開口部１０４に露出されるように第１の副破り線１０３１に沿って破り開けられてもよい。次に、第１の破り開口部１０４での包装フィルムの端部は削り取られ、包装フィルムの端部が引っ張られて第１の破り開口部１０４から外側に移動し、パッケージケース１０２の第２の表面１０２２を破り開ける。この処理は簡単であり、手で破る操作を容易にする。
【００３９】
上記実施形態では、第１の副破り線１０３１によって囲まれた第１の破り開口部１０４は、正方形、長方形、円形などであってもよい。これは特に限定されない。さらに、第２の副破り線１０３２は１本でもよく、又は第２の副破り線１０３２は複数本あってもよい。これは特に限定されない。
【００４０】
任意選択的に、第２の副破り線１０３２は複数本である。複数の第２の副破り線１０３２は、第１の破り開口部１０４の周囲に均等に配置される。このようにして、パッケージケース１０２の第２の表面１０２２は、複数の第２の副破り線１０３２に沿って第１の破り開口部１０４の円周部から破り開けられて、パッケージケース１０２を破り開けることの困難性を低減する。
【００４１】
２本、３本、４本、又は別の本数の第２の副破り線１０３２が存在してもよい。これは特に限定されない。
【００４２】
任意選択的に、図５を参照すると、第１の副破り線１０３１で囲まれた領域は矩形である。第２の副破り線１０３２は４本あり、４本の第２の副破り線１０３２が第１の副破り線１０３１の四隅からそれぞれ外側に延出している。各第２の副破り線１０３２と各隅部を形成する第１の副破り線１０３１の２辺間の角度は両方とも９０°より大きい。このように、第１の破り開口部１０４が第１の副破り線１０３１に沿って破り開けられた後、包装フィルムの端部を第１の破り開口部１０４に沿って引っ張って第１の破り開口部１０４から外側に移動させる過程で、引張力が第１の副破り線１０３１の四隅に集中し、第２の副破り線１０３２に沿ってパッケージケース１０２の第２の表面１０２２を破り開けるのに便利になり、パッケージケースを破り開けることの困難性を低減する。
【００４３】
図４に示す実施形態において、モバイル端末内の制御基板に接続される正負の電極がバッテリ本体１０１の表面に配置されうる。バッテリは、正負の電極を用いて制御基板に電力を供給する。以下の２つの任意の実施形態は、パッケージケース１０２がバッテリ本体１０１の正負の電極を遮るのを防止するために使用されうる。
【００４４】
第１の任意選択的な実施形態：図４及び図５を参照すると、包装フィルムの上に第２の破り線１０５がさらに配置されている。第２の破り線１０５は、第２の破り開口部１０６を形成する。第２の破り開口部１０６は、バッテリ本体１０１上の正負の電極と位置合わせされる。したがって、バッテリ本体１０１の正負の電極がモバイル端末内の制御基板に接続される前に、バッテリ本体１０１の正負の電極を露出させ、バッテリ本体１０１とモバイル端末の制御基板間の接続を容易にするために、第２の破り開口部１０６が第２の破り線１０５に沿って破り開けられうる。
【００４５】
上記の実施形態では、第２の破り線１０５によって形成される第２の破り開口部１０６は、正方形、長方形、円形、楕円形などであってもよい。これは特に限定されない。また、第２の破り開口部１０６の面積は、第２の破り開口部１０６を破り開けることによりバッテリ本体１０１の正負の電極が完全に露出可能であれば特に限定されない。
【００４６】
第２の任意選択的な実施形態：図６を参照すると、パッケージケース１０２のバッテリ本体１０１の正負の電極に対応する位置に開口部１０７が設けられている。この開口部１０７は、バッテリ本体１０１とモバイル端末の制御基板との接続を容易にするために、バッテリ本体１０１の正負の電極を露出させるのに使用されてもよい。
【００４７】
上記の実施形態では、開口部１０７は、正方形、長方形、円形、楕円形などであってもよい。これは特に限定されない。開口部１０７の領域の面積は、バッテリ本体１０１の正負の電極が完全に露出可能であれば特に限定されない。
【００４８】
任意選択的に、パッケージケース１０２の厚みは、０．０８ミリメートル未満である。これにより、パッケージケース１０２の壁厚が相対的に大きくなってバッテリの厚みが比較的大きくなるのを防止することができ、バッテリの薄型設計が容易となり、モバイル端末の薄型設計がさらに容易になる。
【００４９】
任意選択的に、バッテリ本体１０１は、プラスチック包装装置を用いて包装フィルムで包装される。プラスチック包装装置は、自動化された動作を実現するために電磁筐体を包装フィルムで包装するために使用され、それによってプラスチックパッケージングケースの形成時間を短縮し、形成効率を向上させる。
【００５０】
任意選択的に、バッテリ本体１０１をプラスチック包装装置を用いて包装する際に使用される温度は、包装フィルムを包装するためにバッテリ本体１０１を包装するのに使用される温度がバッテリ本体の耐性限界を超えてバッテリの本体が損傷することを防止するために８０℃未満である。
【００５１】
任意選択的に、包装フィルムの材料はポリエチレンである。ポリエチレンは、プラスチック包装中のより良好な収縮性能を有し、包装フィルムをバッテリ本体の表面にしっかりと装着するのに便利になる。
【００５２】
本明細書の記載において、具体的な特徴、構造、材料、又は特性は、１つ又は複数の実施形態又は実施例のいずれかにおいて適切な方法で組み合わせてもよい。
【００５３】
本発明の実施形態におけるモバイル端末の他の構成は、当業者には周知であり、詳細は本明細書では説明されない。
【００５４】
最後に、前述の実施形態は、単に本出願の技術的解決策を説明することを意図しているに過ぎず、本出願を限定するものではないことに留意されたい。本出願は前述の実施形態を参照して詳細に説明されているが、当業者は、本出願の実施形態の技術的解決策の思想及び範囲から逸脱することなく、前述の実施形態に記載された技術的解決策にさらに変更を加えたり、その技術的特徴の一部を同等の代替物と交換しうることを理解されたい。
【図１】
2019522885.tif 000003
【図２】
2019522885.tif 000004
【図３】
2019522885.tif 000005
【図４】
2019522885.tif 000006
【図５】
2019522885.tif 000007
【図６】
2019522885.tif 000008
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
バッテリであって、前記バッテリは、モバイル端末の後部筐体の内部にしっかりと接合され、前記バッテリは、バッテリ本体とパッケージケースとを備え、
前記バッテリ本体は、前記パッケージケースの内部に収容され、
前記パッケージケースは、第１の表面と、前記第１の表面とは反対側の第２の表面とを備え、前記第１の表面及び前記後部筐体は取り付けられ且つ固定され、前記第２の表面はティア構造を有し、前記パッケージケースは、前記バッテリの本体を取り出すために前記ティア構造を破ることにより破り開けられうる、
バッテリ。
【請求項２】
前記パッケージケースは、前記バッテリの本体を覆う包装フィルムである、
請求項１に記載のバッテリ。
【請求項３】
前記ティア構造は第１の破り線であり、前記第２の表面は前記第１の破り線に沿って破り開けられうる、
請求項２に記載のバッテリ。
【請求項４】
前記第１の破り線は、前記第２の表面の中央領域に位置する、
請求項３に記載のバッテリ。
【請求項５】
前記第１の破り線は、第１の副破り線と第２の副破り線とを含み、前記第１の副破り線は、第１の破り開口部を形成し、前記第１の副破り線は、前記第１の破り開口部から外側に延出して前記第２の副破り線を形成する、
請求項３に記載のバッテリ。
【請求項６】
複数の第２の副破り線があり、前記複数の第２の副破り線は前記第１の破り開口部の周囲に均等に配置される、
請求項５に記載のバッテリ。
【請求項７】
前記第１の副破り線により取り囲まれた領域は矩形であり、４本の第２の副破り線があり、前記４本の第２の副破り線は、前記第１の副破り線の四隅から外側にそれぞれ延出し、各第２の副破り線と、各隅部を形成する前記第１の副破り線の２つの辺との間の角度はいずれも９０°より大きい、
請求項５に記載のバッテリ。
【請求項８】
第２の破り線が前記包装フィルム上にさらに配置され、前記第２の破り線は、第２の破り開口部を形成し、前記第２の破り開口部は、前記バッテリの本体の正負の電極に沿って整列される、
請求項２に記載のバッテリ。
【請求項９】
前記バッテリの本体の正負の電極に対応する前記パッケージケースの位置に開口部が設けられる、
請求項１から８のいずれか一項に記載のバッテリ。
【請求項１０】
前記パッケージケースの壁厚が０．０８ｍｍ未満である、
請求項１に記載のバッテリ。
【請求項１１】
前記バッテリの本体は、プラスチック包装装置を用いて前記包装フィルムで包装される、
請求項２に記載のバッテリ。
【請求項１２】
前記プラスチック包装装置を用いて前記バッテリの本体を包装するために使用される動作温度は、８０℃未満である、
請求項１１に記載のバッテリ。
【請求項１３】
包装フィルムの材料はポリエチレンである、
請求項２〜８、１１〜１２のいずれか一項に記載のバッテリ。
【請求項１４】
後部筐体と、請求項１〜１３のいずれか一項に記載の前記バッテリとを備えたモバイル端末であって、
前記後部筐体は、底面パネルと、前記底面パネルの外周部に配置された側面パネルとを備え、収容溝が前記底面パネルと前記側面パネルとにより取り囲まれ、前記バッテリは前記収容溝の内部にしっかりと接合される、
モバイル端末。
【手続補正２】
【補正対象書類名】明細書
【補正対象項目名】００３５
【補正方法】変更
【補正の内容】
【００３５】
上記実施形態では、第１の破り線は、直線に沿って延出してもよいし、曲線に沿って延出してもよい。これは特に限定されない。さらに、第１の破り線は、１本の破り線を含んでもよく、又は複数の破り線を含んでもよい。これは特に限定されない。第１の破り線が複数の破り線を含む場合、複数の破り線は、互いに平行に配置されてもよいし、互いに交差して配置されてもよい。これは本明細書では特に限定されない。
【手続補正３】
【補正対象書類名】明細書
【補正対象項目名】００５０
【補正方法】変更
【補正の内容】
【００５０】
任意選択的に、バッテリ本体１０１をプラスチック包装装置を用いて包装する際に使用される温度は、バッテリ本体１０１を包装フィルムで包装するのに使用される温度がバッテリ本体の耐性限界を超えてバッテリの本体が損傷することを防止するために８０℃未満である。
【国際調査報告】
2019522885.tif 000009
2019522885.tif 000010
2019522885.tif 000011
2019522885.tif 000012